(57)【要約】【課題】  従来より適切な量の成果物の生産を可能にすることができる必要量取得システムおよび必要量取得プログラムを提供する。【解決手段】  メディアに印刷を実行して生成される成果物の生産に必要なメディアの量を取得する生産管理システムは、必要な成果物の量と、成果物の生成の各工程におけるメディアの歩留まり率の予測値とに基づいて、成果物の生成の各工程に必要なメディアの量を取得する（Ｓ１４５、Ｓ１４７、Ｓ１４９およびＳ１５１）ことを特徴とする。【選択図】  図７
2020098446.tif 000002
【特許請求の範囲】
【請求項１】
メディアに印刷を実行して生成される成果物の生産に必要な前記メディアの量を取得する必要量取得システムであって、
前記成果物の生成の工程は、
前記印刷の工程と、
前記印刷の前処理の工程、および、前記印刷の後処理の工程の少なくとも１つと
を含み、
前記必要量取得システムは、
前記成果物の生成の各工程における前記メディアの歩留まり率の予測値を管理する歩留まり率管理部と、
前記成果物の生成の各工程に必要な前記メディアの量を取得する必要量取得部と
を備え、
前記必要量取得部は、
必要な前記成果物の量と、
前記歩留まり率管理部によって管理されている前記予測値と
に基づいて、必要な前記メディアの量を取得することを特徴とする必要量取得システム。
【請求項２】
前記必要量取得部は、前記成果物の生成の工程のうちの少なくとも１つの工程に必要な前記メディアの量に基づいて、この工程において使用する物質の量を取得することを特徴とする請求項１に記載の必要量取得システム。
【請求項３】
前記歩留まり率管理部は、前記成果物の生成の工程のうちの少なくとも１つの工程における実際の前記歩留まり率に基づいて、この工程における前記予測値を生成することを特徴とする請求項１または請求項２に記載の必要量取得システム。
【請求項４】
前記歩留まり率管理部は、前記成果物の生成の工程のうちの少なくとも１つの工程を実行する電子機器の識別情報と、前記電子機器の操作者の識別情報と、前記電子機器によって処理される前記メディアの種類と、前記電子機器によって使用される物質の種類と、前記電子機器による処理の条件との少なくとも１つの項目の値に関連付けて、この工程における前記予測値を管理し、
前記必要量取得部は、
必要な前記成果物の量と、
前記項目の実際の値に関連付けて前記歩留まり率管理部によって管理されている前記予測値と
に基づいて、必要な前記メディアの量を取得することを特徴とする請求項１から請求項３までのいずれかに記載の必要量取得システム。
【請求項５】
前記メディアの量を前記メディア毎に管理するメディア管理部を備えることを特徴とする請求項１から請求項４までのいずれかに記載の必要量取得システム。
【請求項６】
メディアに印刷を実行して生成される成果物の生産に必要な前記メディアの量を取得するための必要量取得プログラムであって、
前記成果物の生成の工程は、
前記印刷の工程と、
前記印刷の前処理の工程、および、前記印刷の後処理の工程の少なくとも１つと
を含み、
前記必要量取得プログラムは、
前記成果物の生成の各工程における前記メディアの歩留まり率の予測値を管理する歩留まり率管理部と、
前記成果物の生成の各工程に必要な前記メディアの量を取得する必要量取得部と
をコンピューターに実現させ、
前記必要量取得部は、
必要な前記成果物の量と、
前記歩留まり率管理部によって管理されている前記予測値と
に基づいて、必要な前記メディアの量を取得することを特徴とする必要量取得プログラム。
【発明の詳細な説明】
【技術分野】
【０００１】
本発明は、テキスタイルなどのメディアに印刷を実行して生成される成果物の生産に必要なメディアの量を取得する必要量取得システムおよび必要量取得プログラムに関する。
【背景技術】
【０００２】
従来、長尺のテキスタイルに印刷を実行して生成される成果物を生産する方法として、テキスタイルに対する印刷の前処理と、このテキスタイルに対する印刷と、このテキスタイルに対する印刷の後処理とを含む方法が知られている（例えば、特許文献１参照。）。
【先行技術文献】
【特許文献】
【０００３】
【特許文献１】特開２０１５−１４７８４８号公報
【発明の概要】
【発明が解決しようとする課題】
【０００４】
しかしながら、従来の方法においては、特定の長さの成果物を得るために、どの程度の長さのテキスタイルに対して前処理を実行するかを、作業者の経験に頼る場合があるので、前処理を実行したテキスタイルの長さが短過ぎて必要な長さの成果物が得られなかったり、必要な長さの成果物を得るために必要な長さを大幅に超えた長さのテキスタイルに対して無駄に前処理を実行したりすることがあるという問題がある。
【０００５】
そこで、本発明は、従来より適切な量の成果物の生産を可能にすることができる必要量取得システムおよび必要量取得プログラムを提供することを目的とする。
【課題を解決するための手段】
【０００６】
本発明の必要量取得システムは、メディアに印刷を実行して生成される成果物の生産に必要な前記メディアの量を取得する必要量取得システムであって、前記成果物の生成の工程は、前記印刷の工程と、前記印刷の前処理の工程、および、前記印刷の後処理の工程の少なくとも１つとを含み、前記必要量取得システムは、前記成果物の生成の各工程における前記メディアの歩留まり率の予測値を管理する歩留まり率管理部と、前記成果物の生成の各工程に必要な前記メディアの量を取得する必要量取得部とを備え、前記必要量取得部は、必要な前記成果物の量と、前記歩留まり率管理部によって管理されている前記予測値とに基づいて、必要な前記メディアの量を取得することを特徴とする。
【０００７】
この構成により、本発明の必要量取得システムは、必要な成果物の量と、成果物の生成の各工程におけるメディアの歩留まり率の予測値とに基づいて、必要なメディアの量を取得するので、従来より適切な量の成果物の生産を可能にすることができる。
【０００８】
本発明の必要量取得システムにおいて、前記必要量取得部は、前記成果物の生成の工程のうちの少なくとも１つの工程に必要な前記メディアの量に基づいて、この工程において使用する物質の量を取得しても良い。
【０００９】
この構成により、本発明の必要量取得システムは、成果物の生成の工程のうちの少なくとも１つの工程に必要なメディアの量に基づいて、この工程において使用する物質の量を取得するので、より適切な量の成果物の生産を可能にすることができる。
【００１０】
本発明の必要量取得システムにおいて、前記歩留まり率管理部は、前記成果物の生成の工程のうちの少なくとも１つの工程における実際の前記歩留まり率に基づいて、この工程における前記予測値を生成しても良い。
【００１１】
この構成により、本発明の必要量取得システムは、成果物の生成の工程のうちの少なくとも１つの工程における実際の歩留まり率に基づいて、この工程における歩留まり率の予測値を生成するので、歩留まり率の予測値の精度を向上することができる。
【００１２】
本発明の必要量取得システムにおいて、前記歩留まり率管理部は、前記成果物の生成の工程のうちの少なくとも１つの工程を実行する電子機器の識別情報と、前記電子機器の操作者の識別情報と、前記電子機器によって処理される前記メディアの種類と、前記電子機器によって使用される物質の種類と、前記電子機器による処理の条件との少なくとも１つの項目の値に関連付けて、この工程における前記予測値を管理し、前記必要量取得部は、必要な前記成果物の量と、前記項目の実際の値に関連付けて前記歩留まり率管理部によって管理されている前記予測値とに基づいて、必要な前記メディアの量を取得しても良い。
【００１３】
この構成により、本発明の必要量取得システムは、成果物の生成の工程のうちの少なくとも１つの工程を実行する電子機器の識別情報と、この電子機器の操作者の識別情報と、この電子機器によって処理されるメディアの種類と、この電子機器によって使用される物質の種類と、この電子機器による処理の条件との少なくとも１つの項目の実際の値に関連付けて管理している、歩留まり率の予測値に基づいて、必要なメディアの量を取得するので、より適切な量の成果物の生産を可能にすることができる。
【００１４】
本発明の必要量取得システムは、前記メディアの量を前記メディア毎に管理するメディア管理部を備えても良い。
【００１５】
この構成により、本発明の必要量取得システムは、メディアの量をメディア毎に管理するので、必要な量があるメディアを使用して成果物を生成することを可能にすることができ、その結果、より適切な量の成果物の生産を可能にすることができる。
【００１６】
本発明の必要量取得プログラムは、メディアに印刷を実行して生成される成果物の生産に必要な前記メディアの量を取得するための必要量取得プログラムであって、前記成果物の生成の工程は、前記印刷の工程と、前記印刷の前処理の工程、および、前記印刷の後処理の工程の少なくとも１つとを含み、前記必要量取得プログラムは、前記成果物の生成の各工程における前記メディアの歩留まり率の予測値を管理する歩留まり率管理部と、前記成果物の生成の各工程に必要な前記メディアの量を取得する必要量取得部とをコンピューターに実現させ、前記必要量取得部は、必要な前記成果物の量と、前記歩留まり率管理部によって管理されている前記予測値とに基づいて、必要な前記メディアの量を取得することを特徴とする。
【００１７】
この構成により、本発明の必要量取得プログラムを実行するコンピューターは、必要な成果物の量と、成果物の生成の各工程におけるメディアの歩留まり率の予測値とに基づいて、必要なメディアの量を取得するので、従来より適切な量の成果物の生産を可能にすることができる。
【発明の効果】
【００１８】
本発明の必要量取得システムおよび必要量取得プログラムは、従来より適切な量の成果物の生産を可能にすることができる。
【図面の簡単な説明】
【００１９】
【図１】本発明の一実施の形態に係る生産システムのブロック図である。
【図２】１台のコンピューターによって構成される場合の図１に示す生産管理システムのブロック図である。
【図３】図２に示す前処理機歩留まり率予測値情報の一例を示す図である。
【図４】図２に示す前処理機歩留まり率履歴情報の一例を示す図である。
【図５】図２に示すメディア管理情報の一例を示す図である。
【図６】成果物を生産する場合の図２に示す生産管理システムの動作のフローチャートである。
【図７】メディアの長さと、処理液の量とを決定する場合の図２に示す生産管理システムの動作のフローチャートである。
【図８】前処理機歩留まり率予測値情報を更新する場合の図２に示す生産管理システムの動作のフローチャートである。
【図９】メディアへの前処理剤の塗布の処理が完了した場合にメディア管理情報を更新するときの図２に示す生産管理システムの動作のフローチャートである。
【発明を実施するための形態】
【００２０】
以下、本発明の一実施の形態について、図面を用いて説明する。
【００２１】
まず、本実施の形態に係る生産システムの構成について説明する。
【００２２】
図１は、本実施の形態に係る生産システム１０のブロック図である。
【００２３】
図１に示す生産システム１０は、テキスタイルなどのメディアに印刷を実行して生成される成果物を生産するシステムである。生産システム１０は、成果物の生産を管理する生産管理システム２０と、メディアに対する印刷の前処理として、インクの滲みを防止するための前処理剤をメディアに塗布する処理を実行する電子機器である前処理機３０と、前処理剤が付されたメディアに対してインクによる印刷を実行する電子機器であるプリンター４０と、メディアに対する印刷の後処理として、インクによる印刷が実行されたメディアを蒸す処理を実行することによって、インクの定着および発色を実現する電子機器である蒸し機５０と、メディアに対する印刷の後処理として、インクの定着および発色が実行されたメディアを洗う処理を実行することによって、余分な前処理剤および余分なインクをメディアから除去する電子機器である洗い機６０とを備えている。成果物は、メディアへの前処理剤の塗布の工程、メディアへのインクによる印刷の工程、メディアの蒸しの工程、メディアの洗いの工程の順番で実行されることによって、生産される。
【００２４】
生産管理システム２０は、１台のコンピューターによって構成されても良いし、複数台のコンピューターによって構成されても良い。
【００２５】
生産システム１０は、前処理機３０以外にも、前処理剤をメディアに塗布する処理を実行する前処理機を少なくとも１つ備えても良い。生産システム１０に前処理機が複数含まれる場合、生産システム１０に含まれる前処理機は、複数の地域に分散して配置されても良い。前処理機によって使用される処理液は、前処理剤である。
【００２６】
生産システム１０は、プリンター４０以外にも、メディアに対してインクによる印刷を実行するプリンターを少なくとも１つ備えても良い。生産システム１０にプリンターが複数含まれる場合、生産システム１０に含まれるプリンターは、複数の地域に分散して配置されても良い。生産システム１０に含まれるプリンターは、例えば、インクジェットプリンターでも良い。プリンターによって使用される処理液は、インクである。
【００２７】
生産システム１０は、蒸し機５０以外にも、メディアを蒸す処理を実行する蒸し機を少なくとも１つ備えても良い。生産システム１０に蒸し機が複数含まれる場合、生産システム１０に含まれる蒸し機は、複数の地域に分散して配置されても良い。蒸し機によって使用される処理液は、水である。
【００２８】
生産システム１０は、洗い機６０以外にも、メディアを洗う処理を実行する洗い機を少なくとも１つ備えても良い。生産システム１０に洗い機が複数含まれる場合、生産システム１０に含まれる洗い機は、複数の地域に分散して配置されても良い。洗い機によって使用される処理液は、水である。
【００２９】
生産管理システム２０と、生産システム１０に含まれる前処理機、プリンター、蒸し機および洗い機とは、ＬＡＮ（Ｌｏｃａｌ  Ａｒｅａ  Ｎｅｔｗｏｒｋ）、インターネットなどのネットワークを介して互いに通信可能に接続されている。
【００３０】
図２は、１台のコンピューターによって構成される場合の生産管理システム２０のブロック図である。
【００３１】
図２に示す生産管理システム２０は、種々の操作が入力される例えばキーボード、マウスなどの操作デバイスである操作部２１と、種々の情報を表示する例えばＬＣＤ（Ｌｉｑｕｉｄ  Ｃｒｙｓｔａｌ  Ｄｉｓｐｌａｙ）などの表示デバイスである表示部２２と、ＬＡＮ、インターネットなどのネットワーク経由で、または、ネットワークを介さずに有線または無線によって直接に、外部の装置と通信を行う通信デバイスである通信部２３と、各種の情報を記憶する例えば半導体メモリー、ＨＤＤ（Ｈａｒｄ  Ｄｉｓｋ  Ｄｒｉｖｅ）などの不揮発性の記憶デバイスである記憶部２４と、生産管理システム２０全体を制御する制御部２５とを備えている。
【００３２】
記憶部２４は、成果物の生産に必要なメディアの長さ、すなわち、成果物の生産に必要なメディアの量を取得するための必要量取得プログラム２４ａを記憶している。必要量取得プログラム２４ａは、例えば、生産管理システム２０の製造段階で生産管理システム２０にインストールされていても良いし、ＣＤ（Ｃｏｍｐａｃｔ  Ｄｉｓｋ）、ＤＶＤ（Ｄｉｇｉｔａｌ  Ｖｅｒｓａｔｉｌｅ  Ｄｉｓｋ）、ＵＳＢ（Ｕｎｉｖｅｒｓａｌ  Ｓｅｒｉａｌ  Ｂｕｓ）メモリーなどの外部の記憶媒体から生産管理システム２０に追加でインストールされても良いし、ネットワーク上から生産管理システム２０に追加でインストールされても良い。
【００３３】
記憶部２４は、生産システム１０に含まれる前処理機におけるメディアの歩留まり率の予測値を示す前処理機歩留まり率予測値情報２４ｂを記憶している。
【００３４】
図３は、前処理機歩留まり率予測値情報２４ｂの一例を示す図である。
【００３５】
図３に示すように、前処理機歩留まり率予測値情報２４ｂは、例えば、前処理機の識別情報と、前処理機の操作者の識別情報と、前処理機によって処理されるメディアの種類と、前処理機によって使用される前処理剤の種類と、前処理機による処理の条件とを含む複数の項目の値の組み合わせ毎に歩留まり率の予測値を示している。前処理機による処理の条件としては、例えば、メディアのうち前処理が実行されている部分の搬送速度と、メディアのうち前処理が実行されている部分に加える張力と、メディアのうち前処理が実行されている部分の近傍の温度とが存在する。ここで、前処理機におけるメディアの搬送経路のうちメディアに前処理が実行される部分の長さが一定であるので、メディアのうち前処理が実行されている部分の搬送速度は、メディアのうち同一の部分に対する前処理の実行時間に比例する。なお、図３は、前処理機によって処理されるメディアの種類と、前処理機によって使用される前処理剤の種類と、前処理機による処理の条件とに関して、具体的な値を省略して描いている。
【００３６】
図１に示すように、記憶部２４は、生産システム１０に含まれるプリンターにおけるメディアの歩留まり率の予測値を示すプリンター歩留まり率予測値情報２４ｃを記憶している。プリンター歩留まり率予測値情報２４ｃは、前処理機歩留まり率予測値情報２４ｂと同様に、例えば、プリンターの識別情報と、プリンターの操作者の識別情報と、プリンターによって処理されるメディアの種類と、プリンターによって使用されるインクの種類と、プリンターによる処理の条件とを含む複数の項目の値の組み合わせ毎に歩留まり率の予測値を示している。プリンターによる処理の条件としては、例えば、メディアのうち印刷が実行されている部分の搬送速度と、メディアのうち印刷が実行された部分の乾燥時間とが存在する。ここで、プリンターにおけるメディアの搬送経路のうちメディアに印刷が実行される部分の長さが一定であるので、メディアのうち印刷が実行されている部分の搬送速度は、メディアのうち同一の部分に対する印刷の実行時間に比例する。
【００３７】
記憶部２４は、生産システム１０に含まれる蒸し機におけるメディアの歩留まり率の予測値を示す蒸し機歩留まり率予測値情報２４ｄを記憶している。蒸し機歩留まり率予測値情報２４ｄは、前処理機歩留まり率予測値情報２４ｂと同様に、例えば、蒸し機の識別情報と、蒸し機の操作者の識別情報と、蒸し機によって処理されるメディアの種類と、蒸し機によって使用される水の種類と、蒸し機による処理の条件とを含む複数の項目の値の組み合わせ毎に歩留まり率の予測値を示している。蒸し機による処理の条件としては、例えば、メディアのうち蒸し処理が実行されている部分の搬送速度と、メディアのうち蒸し処理が実行されている部分の近傍の温度と、メディアのうち蒸し処理が実行されている部分の近傍の湿度とが存在する。ここで、蒸し機におけるメディアの搬送経路のうちメディアに蒸し処理が実行される部分の長さが一定であるので、メディアのうち蒸し処理が実行されている部分の搬送速度は、メディアのうち同一の部分に対する蒸し処理の実行時間に比例する。
【００３８】
記憶部２４は、生産システム１０に含まれる洗い機におけるメディアの歩留まり率の予測値を示す洗い機歩留まり率予測値情報２４ｅを記憶している。洗い機歩留まり率予測値情報２４ｅは、前処理機歩留まり率予測値情報２４ｂと同様に、例えば、洗い機の識別情報と、洗い機の操作者の識別情報と、洗い機によって処理されるメディアの種類と、洗い機によって使用される水の種類と、洗い機による処理の条件とを含む複数の項目の値の組み合わせ毎に歩留まり率の予測値を示している。洗い機による処理の条件としては、例えば、メディアのうち洗い処理が実行されている部分の搬送速度と、メディアのうち洗い処理が実行されている部分に加える張力と、メディアのうち洗い処理が実行されている部分の近傍の温度と、洗い機における水の入れ替えのタイミングとが存在する。ここで、洗い機におけるメディアの搬送経路のうちメディアに洗い処理が実行される部分の長さが一定であるので、メディアのうち洗い処理が実行されている部分の搬送速度は、メディアのうち同一の部分に対する洗い処理の実行時間に比例する。また、洗い機における水の入れ替えのタイミングは、どの程度の長さのメディアに対して洗い処理を実行する度にどの程度の量の水を入れ替えるかという条件である。
【００３９】
記憶部２４は、生産システム１０に含まれる前処理機におけるメディアの歩留まり率の履歴を示す前処理機歩留まり率履歴情報２４ｆを記憶している。
【００４０】
図４は、前処理機歩留まり率履歴情報２４ｆの一例を示す図である。
【００４１】
図４に示すように、前処理機歩留まり率履歴情報２４ｆは、前処理機による処理毎に、例えば、処理の日時と、前処理機の識別情報と、前処理機の操作者の識別情報と、前処理機によって処理されたメディアの種類と、前処理機によって使用された前処理剤の種類と、前処理機による処理の条件と、歩留まり率とを示している。なお、図４は、前処理機によって処理されたメディアの種類と、前処理機によって使用された前処理剤の種類と、前処理機による処理の条件とに関して、具体的な値を省略して描いている。
【００４２】
図１に示すように、記憶部２４は、生産システム１０に含まれるプリンターにおけるメディアの歩留まり率の履歴を示すプリンター歩留まり率履歴情報２４ｇを記憶している。プリンター歩留まり率履歴情報２４ｇは、前処理機歩留まり率履歴情報２４ｆと同様に、プリンターによる処理毎に、例えば、処理の日時と、プリンターの識別情報と、プリンターの操作者の識別情報と、プリンターによって処理されたメディアの種類と、プリンターによって使用されたインクの種類と、プリンターによる処理の条件と、歩留まり率とを示している。
【００４３】
記憶部２４は、生産システム１０に含まれる蒸し機におけるメディアの歩留まり率の履歴を示す蒸し機歩留まり率履歴情報２４ｈを記憶している。蒸し機歩留まり率履歴情報２４ｈは、前処理機歩留まり率履歴情報２４ｆと同様に、蒸し機による処理毎に、例えば、処理の日時と、蒸し機の識別情報と、蒸し機の操作者の識別情報と、蒸し機によって処理されたメディアの種類と、蒸し機によって使用された水の種類と、蒸し機による処理の条件と、歩留まり率とを示している。
【００４４】
記憶部２４は、生産システム１０に含まれる洗い機におけるメディアの歩留まり率の履歴を示す洗い機歩留まり率履歴情報２４ｉを記憶している。洗い機歩留まり率履歴情報２４ｉは、前処理機歩留まり率履歴情報２４ｆと同様に、洗い機による処理毎に、例えば、処理の日時と、洗い機の識別情報と、洗い機の操作者の識別情報と、洗い機によって処理されたメディアの種類と、洗い機によって使用された水の種類と、洗い機による処理の条件と、歩留まり率とを示している。
【００４５】
記憶部２４は、メディアを管理するメディア管理情報２４ｊを記憶している。
【００４６】
図５は、メディア管理情報２４ｊの一例を示す図である。
【００４７】
図５に示すように、メディア管理情報２４ｊは、メディアの識別情報と、メディアの長さと、メディアの状態とをメディア毎に示している。メディアの状態には、例えば、未だ前処理が実行されていない状態を示す未処理状態と、前処理が実行されているが、印刷が実行されていない状態を示す前処理済み状態と、印刷が実行されているが、後処理が実行されていない状態を示す印刷済み状態と、蒸しが実行されているが、洗いが実行されていない状態を示す蒸し済み状態と、洗いが実行されている状態を示す生産済み状態とが存在する。
【００４８】
図１に示す制御部２５は、例えば、ＣＰＵ（Ｃｅｎｔｒａｌ  Ｐｒｏｃｅｓｓｉｎｇ  Ｕｎｉｔ）と、プログラムおよび各種のデータを記憶しているＲＯＭ（Ｒｅａｄ  Ｏｎｌｙ  Ｍｅｍｏｒｙ）と、ＣＰＵの作業領域として用いられるＲＡＭ（Ｒａｎｄｏｍ  Ａｃｃｅｓｓ  Ｍｅｍｏｒｙ）とを備えている。ＣＰＵは、ＲＯＭまたは記憶部２４に記憶されているプログラムを実行する。
【００４９】
制御部２５は、必要量取得プログラム２４ａを実行することによって、成果物の生成の各工程におけるメディアの歩留まり率の予測値を管理する歩留まり率管理部２５ａと、成果物の生成の各工程に必要なメディアの量を取得する必要量取得部２５ｂと、メディアを管理するメディア管理部２５ｃとを実現する。すなわち、生産管理システム２０は、成果物の生産に必要なメディアの量を取得する必要量取得システムを構成している。
【００５０】
次に、生産システム１０の動作について説明する。
【００５１】
まず、成果物を生産する場合の生産システム１０の動作について説明する。
【００５２】
図６は、成果物を生産する場合の生産管理システム２０の動作のフローチャートである。
【００５３】
制御部２５は、成果物の生産のジョブ（以下「対象ジョブ」という。）を通信部２３を介して受信すると、図６に示す動作を実行する。
【００５４】
図６に示すように、制御部２５は、メディアへの前処理剤の塗布を実行させる前処理機を決定する（Ｓ１０１）。ここで、制御部２５は、対象ジョブにおいて前処理機が指示されている場合には、対象ジョブにおいて指示されている前処理機をＳ１０１において決定しても良い。また、制御部２５は、対象ジョブの受信後に通信部２３を介して受信した指示に応じた前処理機をＳ１０１において決定しても良い。また、制御部２５は、生産システム１０に含まれる前処理機のうち、特定のアルゴリズムに基づいて自動で選択した前処理機をＳ１０１において決定しても良い。ここで、特定のアルゴリズムとしては、例えば、実行待ちのジョブが最も少ない前処理機を選択するアルゴリズムや、特定の機能や生産能力などの性能を備えている前処理機を選択するアルゴリズムなど、任意のアルゴリズムが採用されることが可能である。
【００５５】
制御部２５は、Ｓ１０１の処理の後、特定の長さのメディアと、特定の量の前処理剤とを、Ｓ１０１において決定した前処理機にセットすることを前処理機の操作者に通知する（Ｓ１０２）。Ｓ１０２における通知先は、例えば、Ｓ１０１において決定した前処理機の図示していない表示部でも良いし、Ｓ１０１において決定した前処理機とは別の電子機器の表示部でも良い。前処理機の操作者は、Ｓ１０２における通知を受けると、Ｓ１０２において通知された長さ以上のメディアと、Ｓ１０２において通知された量以上の前処理剤とを、Ｓ１０２において通知された前処理機にセットした後、メディアおよび前処理剤のセットが完了したことを、例えば、Ｓ１０２において通知された前処理機の図示していない操作部や、Ｓ１０２において通知された前処理機とは別の電子機器の操作部を介して、生産管理システム２０に通知することができる。
【００５６】
制御部２５は、Ｓ１０２の処理の後、メディアおよび前処理剤のセットが完了したことが通知されたと判断するまで、メディアおよび前処理剤のセットが完了したことが通知されたか否かを判断する（Ｓ１０３）。
【００５７】
制御部２５は、メディアおよび前処理剤のセットが完了したことが通知されたとＳ１０３において判断すると、Ｓ１０１において決定した前処理機にメディアへの前処理剤の塗布を指示する（Ｓ１０４）。ここで、Ｓ１０４における指示には、Ｓ１０２において通知したメディアの長さと、Ｓ１０２において通知した前処理剤の量と、対象ジョブにおいて指示されている、前処理機による処理の条件とが含まれる。前処理機は、Ｓ１０４における指示を受けると、Ｓ１０４における指示に応じてメディアへの前処理剤の塗布を実行し、メディアへの前処理剤の塗布が完了すると、メディアへの前処理剤の塗布の処理が完了したことを生産管理システム２０に通知する。
【００５８】
制御部２５は、Ｓ１０４の処理の後、メディアへの前処理剤の塗布の処理が完了したことが通知されたと判断するまで、メディアへの前処理剤の塗布の処理が完了したことが通知されたか否かを判断する（Ｓ１０５）。
【００５９】
制御部２５は、メディアへの前処理剤の塗布の処理が完了したことが通知されたとＳ１０５において判断すると、メディアへのインクによる印刷を実行させるプリンターを決定する（Ｓ１１１）。ここで、制御部２５は、対象ジョブにおいてプリンターが指示されている場合には、対象ジョブにおいて指示されているプリンターをＳ１１１において決定しても良い。また、制御部２５は、対象ジョブの受信後に通信部２３を介して受信した指示に応じたプリンターをＳ１１１において決定しても良い。また、制御部２５は、生産システム１０に含まれるプリンターのうち、特定のアルゴリズムに基づいて自動で選択したプリンターをＳ１１１において決定しても良い。ここで、特定のアルゴリズムとしては、例えば、実行待ちのジョブが最も少ないプリンターを選択するアルゴリズムや、特定の機能や生産能力などの性能を備えているプリンターを選択するアルゴリズムなど、任意のアルゴリズムが採用されることが可能である。
【００６０】
制御部２５は、Ｓ１１１の処理の後、特定の長さのメディアと、特定の量のインクとを、Ｓ１１１において決定したプリンターにセットすることをプリンターの操作者に通知する（Ｓ１１２）。Ｓ１１２における通知先は、例えば、Ｓ１１１において決定したプリンターの図示していない表示部でも良いし、Ｓ１１１において決定したプリンターとは別の電子機器の表示部でも良い。プリンターの操作者は、Ｓ１１２における通知を受けると、Ｓ１０４における指示に応じて前処理機によって前処理剤が塗布されたメディアのうち、Ｓ１１２において通知された長さ以上のメディアと、Ｓ１１２において通知された量以上のインクとを、Ｓ１１２において通知されたプリンターにセットした後、メディアおよびインクのセットが完了したことを、例えば、Ｓ１１２において通知されたプリンターの図示していない操作部や、Ｓ１１２において通知されたプリンターとは別の電子機器の操作部を介して、生産管理システム２０に通知することができる。
【００６１】
制御部２５は、Ｓ１１２の処理の後、メディアおよびインクのセットが完了したことが通知されたと判断するまで、メディアおよびインクのセットが完了したことが通知されたか否かを判断する（Ｓ１１３）。
【００６２】
制御部２５は、メディアおよびインクのセットが完了したことが通知されたとＳ１１３において判断すると、Ｓ１１１において決定したプリンターにメディアへのインクによる印刷を指示する（Ｓ１１４）。ここで、Ｓ１１４における指示には、Ｓ１１２において通知したメディアの長さと、Ｓ１１２において通知したインクの量と、対象ジョブにおいて指示されている、プリンターによる処理の条件とが含まれる。プリンターは、Ｓ１１４における指示を受けると、Ｓ１１４における指示に応じてメディアへのインクによる印刷を実行し、メディアへのインクによる印刷が完了すると、メディアへのインクによる印刷の処理が完了したことを生産管理システム２０に通知する。
【００６３】
制御部２５は、Ｓ１１４の処理の後、メディアへのインクによる印刷の処理が完了したことが通知されたと判断するまで、メディアへのインクによる印刷の処理が完了したことが通知されたか否かを判断する（Ｓ１１５）。
【００６４】
制御部２５は、メディアへのインクによる印刷の処理が完了したことが通知されたとＳ１１５において判断すると、メディアの蒸しを実行させる蒸し機を決定する（Ｓ１２１）。ここで、制御部２５は、対象ジョブにおいて蒸し機が指示されている場合には、対象ジョブにおいて指示されている蒸し機をＳ１２１において決定しても良い。また、制御部２５は、対象ジョブの受信後に通信部２３を介して受信した指示に応じた蒸し機をＳ１２１において決定しても良い。また、制御部２５は、生産システム１０に含まれる蒸し機のうち、特定のアルゴリズムに基づいて自動で選択した蒸し機をＳ１２１において決定しても良い。ここで、特定のアルゴリズムとしては、例えば、実行待ちのジョブが最も少ない蒸し機を選択するアルゴリズムや、特定の機能や生産能力などの性能を備えている蒸し機を選択するアルゴリズムなど、任意のアルゴリズムが採用されることが可能である。
【００６５】
制御部２５は、Ｓ１２１の処理の後、特定の長さのメディアと、特定の量の水とを、Ｓ１２１において決定した蒸し機にセットすることを蒸し機の操作者に通知する（Ｓ１２２）。Ｓ１２２における通知先は、例えば、Ｓ１２１において決定した蒸し機の図示していない表示部でも良いし、Ｓ１２１において決定した蒸し機とは別の電子機器の表示部でも良い。蒸し機の操作者は、Ｓ１２２における通知を受けると、Ｓ１１４における指示に応じてプリンターによって印刷が実行されたメディアのうち、Ｓ１２２において通知された長さ以上のメディアと、Ｓ１２２において通知された量以上の水とを、Ｓ１２２において通知された蒸し機にセットした後、メディアおよび水のセットが完了したことを、例えば、Ｓ１２２において通知された蒸し機の図示していない操作部や、Ｓ１２２において通知された蒸し機とは別の電子機器の操作部を介して、生産管理システム２０に通知することができる。
【００６６】
制御部２５は、Ｓ１２２の処理の後、メディアおよび水のセットが完了したことが通知されたと判断するまで、メディアおよび水のセットが完了したことが通知されたか否かを判断する（Ｓ１２３）。
【００６７】
制御部２５は、メディアおよび水のセットが完了したことが通知されたとＳ１２３において判断すると、Ｓ１２１において決定した蒸し機にメディアの蒸しを指示する（Ｓ１２４）。ここで、Ｓ１２４における指示には、Ｓ１２２において通知したメディアの長さと、Ｓ１２２において通知した水の量と、対象ジョブにおいて指示されている、蒸し機による処理の条件とが含まれる。蒸し機は、Ｓ１２４における指示を受けると、Ｓ１２４における指示に応じてメディアの蒸しを実行し、メディアの蒸しが完了すると、メディアの蒸しの処理が完了したことを生産管理システム２０に通知する。
【００６８】
制御部２５は、Ｓ１２４の処理の後、メディアの蒸しの処理が完了したことが通知されたと判断するまで、メディアの蒸しの処理が完了したことが通知されたか否かを判断する（Ｓ１２５）。
【００６９】
制御部２５は、メディアの蒸しの処理が完了したことが通知されたとＳ１２５において判断すると、メディアの洗いを実行させる洗い機を決定する（Ｓ１３１）。ここで、制御部２５は、対象ジョブにおいて洗い機が指示されている場合には、対象ジョブにおいて指示されている洗い機をＳ１３１において決定しても良い。また、制御部２５は、対象ジョブの受信後に通信部２３を介して受信した指示に応じた洗い機をＳ１３１において決定しても良い。また、制御部２５は、生産システム１０に含まれる洗い機のうち、特定のアルゴリズムに基づいて自動で選択した洗い機をＳ１３１において決定しても良い。ここで、特定のアルゴリズムとしては、例えば、実行待ちのジョブが最も少ない洗い機を選択するアルゴリズムや、特定の機能や生産能力などの性能を備えている洗い機を選択するアルゴリズムなど、任意のアルゴリズムが採用されることが可能である。
【００７０】
制御部２５は、Ｓ１３１の処理の後、特定の長さのメディアと、特定の量の水とを、Ｓ１３１において決定した洗い機にセットすることを洗い機の操作者に通知する（Ｓ１３２）。Ｓ１３２における通知先は、例えば、Ｓ１３１において決定した洗い機の図示していない表示部でも良いし、Ｓ１３１において決定した洗い機とは別の電子機器の表示部でも良い。洗い機の操作者は、Ｓ１３２における通知を受けると、Ｓ１２４における指示に応じて蒸し機によって蒸しが実行されたメディアのうち、Ｓ１３２において通知された長さ以上のメディアと、Ｓ１３２において通知された量以上の水とを、Ｓ１３２において通知された洗い機にセットした後、メディアおよび水のセットが完了したことを、例えば、Ｓ１３２において通知された洗い機の図示していない操作部や、Ｓ１３２において通知された洗い機とは別の電子機器の操作部を介して、生産管理システム２０に通知することができる。
【００７１】
制御部２５は、Ｓ１３２の処理の後、メディアおよび水のセットが完了したことが通知されたと判断するまで、メディアおよび水のセットが完了したことが通知されたか否かを判断する（Ｓ１３３）。
【００７２】
制御部２５は、メディアおよび水のセットが完了したことが通知されたとＳ１３３において判断すると、Ｓ１３１において決定した洗い機にメディアの洗いを指示する（Ｓ１３４）。ここで、Ｓ１３４における指示には、Ｓ１３２において通知したメディアの長さと、Ｓ１３２において通知した水の量と、対象ジョブにおいて指示されている、洗い機による処理の条件とが含まれる。洗い機は、Ｓ１３４における指示を受けると、Ｓ１３４における指示に応じてメディアの洗いを実行し、メディアの洗いが完了すると、メディアの洗いの処理が完了したことを生産管理システム２０に通知する。
【００７３】
制御部２５は、Ｓ１３４の処理の後、メディアの洗いの処理が完了したことが通知されたと判断するまで、メディアの洗いの処理が完了したことが通知されたか否かを判断する（Ｓ１３５）。
【００７４】
制御部２５は、メディアの洗いの処理が完了したことが通知されたとＳ１３５において判断すると、図６に示す動作を終了する。
【００７５】
次に、メディアの長さと、処理液の量とを決定する場合の生産管理システム２０の動作について説明する。
【００７６】
図７は、メディアの長さと、処理液の量とを決定する場合の生産管理システム２０の動作のフローチャートである。
【００７７】
制御部２５は、通信部２３を介して対象ジョブを受信すると、図７に示す動作を実行する。
【００７８】
図７に示すように、歩留まり率管理部２５ａは、対象ジョブに使用される前処理機の識別情報と、この前処理機の操作者の識別情報と、この前処理機によって処理されるメディアの種類と、この前処理機によって使用される前処理剤の種類と、この前処理機による処理の条件とを含む複数の項目の実際の値の組み合わせに前処理機歩留まり率予測値情報２４ｂにおいて対応付けられている歩留まり率の予測値を取得する（Ｓ１４１）。ここで、対象ジョブに使用される前処理機は、Ｓ１０１において決定される前処理機と同一である。対象ジョブに使用される前処理機の操作者は、対象ジョブにおいて指示されても良いし、対象ジョブの受信後に通信部２３を介して指示されても良い。対象ジョブに使用される前処理機によって処理されるメディアの種類と、この前処理機によって使用される前処理剤の種類と、この前処理機による処理の条件とは、対象ジョブにおいて指示されている。
【００７９】
歩留まり率管理部２５ａは、Ｓ１４１の処理の後、対象ジョブに使用されるプリンターの識別情報と、このプリンターの操作者の識別情報と、このプリンターによって処理されるメディアの種類と、このプリンターによって使用されるインクの種類と、このプリンターによる処理の条件とを含む複数の項目の実際の値の組み合わせにプリンター歩留まり率予測値情報２４ｃにおいて対応付けられている歩留まり率の予測値を取得する（Ｓ１４２）。ここで、対象ジョブに使用されるプリンターは、Ｓ１１１において決定されるプリンターと同一である。対象ジョブに使用されるプリンターの操作者は、対象ジョブにおいて指示されても良いし、対象ジョブの受信後に通信部２３を介して指示されても良い。対象ジョブに使用されるプリンターによって処理されるメディアの種類と、このプリンターによって使用されるインクの種類と、このプリンターによる処理の条件とは、対象ジョブにおいて指示されている。
【００８０】
歩留まり率管理部２５ａは、Ｓ１４２の処理の後、対象ジョブに使用される蒸し機の識別情報と、この蒸し機の操作者の識別情報と、この蒸し機によって処理されるメディアの種類と、この蒸し機によって使用される水の種類と、この蒸し機による処理の条件とを含む複数の項目の実際の値の組み合わせに蒸し機歩留まり率予測値情報２４ｄにおいて対応付けられている歩留まり率の予測値を取得する（Ｓ１４３）。ここで、対象ジョブに使用される蒸し機は、Ｓ１２１において決定される蒸し機と同一である。対象ジョブに使用される蒸し機の操作者は、対象ジョブにおいて指示されても良いし、対象ジョブの受信後に通信部２３を介して指示されても良い。対象ジョブに使用される蒸し機によって処理されるメディアの種類と、この蒸し機によって使用される水の種類と、この蒸し機による処理の条件とは、対象ジョブにおいて指示されている。
【００８１】
歩留まり率管理部２５ａは、Ｓ１４３の処理の後、対象ジョブに使用される洗い機の識別情報と、この洗い機の操作者の識別情報と、この洗い機によって処理されるメディアの種類と、この洗い機によって使用される水の種類と、この洗い機による処理の条件とを含む複数の項目の実際の値の組み合わせに洗い機歩留まり率予測値情報２４ｅにおいて対応付けられている歩留まり率の予測値を取得する（Ｓ１４４）。ここで、対象ジョブに使用される洗い機は、Ｓ１３１において決定される洗い機と同一である。対象ジョブに使用される洗い機の操作者は、対象ジョブにおいて指示されても良いし、対象ジョブの受信後に通信部２３を介して指示されても良い。対象ジョブに使用される洗い機によって処理されるメディアの種類と、この洗い機によって使用される水の種類と、この洗い機による処理の条件とは、対象ジョブにおいて指示されている。
【００８２】
必要量取得部２５ｂは、Ｓ１４４の処理の後、対象ジョブにおいて指示されている成果物の長さと、Ｓ１４４において取得された、洗い機におけるメディアの歩留まり率の予測値とに基づいて、対象ジョブに使用される洗い機で処理されるべきメディアの長さを算出する（Ｓ１４５）。例えば、対象ジョブにおいて指示されている成果物の長さが１００ｍであり、Ｓ１４４において取得された、洗い機における歩留まり率の予測値が９５％である場合、必要量取得部２５ｂは、対象ジョブに使用される洗い機で処理されるべきメディアの長さとして、１０５．３ｍを算出する。制御部２５は、Ｓ１４５において算出した長さのメディアを洗い機にセットすることをＳ１３２において通知する。
【００８３】
必要量取得部２５ｂは、Ｓ１４５の処理の後、Ｓ１４５において算出したメディアの長さと、対象ジョブに使用される洗い機においてメディアの単位長さに対して使用される水の量とに基づいて、対象ジョブに使用される洗い機において使用される予定の水の量を算出する（Ｓ１４６）。制御部２５は、Ｓ１４６において算出した量の水を洗い機にセットすることをＳ１３２において通知する。
【００８４】
必要量取得部２５ｂは、Ｓ１４６の処理の後、Ｓ１４５において算出したメディアの長さと、Ｓ１４３において取得された、蒸し機におけるメディアの歩留まり率の予測値とに基づいて、対象ジョブに使用される蒸し機で処理されるべきメディアの長さを算出する（Ｓ１４７）。例えば、Ｓ１４５において算出したメディアの長さが１０５．３ｍであり、Ｓ１４３において取得された、蒸し機におけるメディアの歩留まり率の予測値が８５％である場合、必要量取得部２５ｂは、対象ジョブに使用される蒸し機で処理されるべきメディアの長さとして、１２３．９ｍを算出する。制御部２５は、Ｓ１４７において算出した長さのメディアを蒸し機にセットすることをＳ１２２において通知する。
【００８５】
必要量取得部２５ｂは、Ｓ１４７の処理の後、Ｓ１４７において算出したメディアの長さと、対象ジョブに使用される蒸し機においてメディアの単位長さに対して使用される水の量とに基づいて、対象ジョブに使用される蒸し機において使用される予定の水の量を算出する（Ｓ１４８）。制御部２５は、Ｓ１４８において算出した量の水を蒸し機にセットすることをＳ１２２において通知する。
【００８６】
必要量取得部２５ｂは、Ｓ１４８の処理の後、Ｓ１４７において算出したメディアの長さと、Ｓ１４２において取得された、プリンターにおけるメディアの歩留まり率の予測値とに基づいて、対象ジョブに使用されるプリンターで処理されるべきメディアの長さを算出する（Ｓ１４９）。例えば、Ｓ１４７において算出したメディアの長さが１２３．９ｍであり、Ｓ１４２において取得された、プリンターにおけるメディアの歩留まり率の予測値が９０％である場合、必要量取得部２５ｂは、対象ジョブに使用されるプリンターで処理されるべきメディアの長さとして、１３７．７ｍを算出する。制御部２５は、Ｓ１４９において算出した長さのメディアをプリンターにセットすることをＳ１１２において通知する。
【００８７】
必要量取得部２５ｂは、Ｓ１４９の処理の後、Ｓ１４９において算出したメディアの長さと、対象ジョブに使用されるプリンターにおいてメディアの単位長さに対して使用されるインクの量とに基づいて、対象ジョブに使用されるプリンターにおいて使用される予定のインクの量を算出する（Ｓ１５０）。制御部２５は、Ｓ１５０において算出した量のインクをプリンターにセットすることをＳ１１２において通知する。
【００８８】
必要量取得部２５ｂは、Ｓ１５０の処理の後、Ｓ１４９において算出したメディアの長さと、Ｓ１４１において取得された、前処理機におけるメディアの歩留まり率の予測値とに基づいて、対象ジョブに使用される前処理機で処理されるべきメディアの長さを算出する（Ｓ１５１）。例えば、Ｓ１４９において算出したメディアの長さが１３７．７ｍであり、Ｓ１４１において取得された、前処理機におけるメディアの歩留まり率の予測値が９５％である場合、必要量取得部２５ｂは、対象ジョブに使用される前処理機で処理されるべきメディアの長さとして、１４５ｍを算出する。制御部２５は、Ｓ１５１において算出した長さのメディアを前処理機にセットすることをＳ１０２において通知する。
【００８９】
必要量取得部２５ｂは、Ｓ１５１の処理の後、Ｓ１５１において算出したメディアの長さと、対象ジョブに使用される前処理機においてメディアの単位長さに対して使用される前処理剤の量とに基づいて、対象ジョブに使用される前処理機において使用される予定の前処理剤の量を算出する（Ｓ１５２）。制御部２５は、Ｓ１５２において算出した量の前処理剤を前処理機にセットすることをＳ１０２において通知する。
【００９０】
制御部２５は、Ｓ１５２の処理の後、図７に示す動作を終了する。
【００９１】
次に、前処理機歩留まり率予測値情報２４ｂを更新する場合の生産管理システム２０の動作について説明する。
【００９２】
図８は、前処理機歩留まり率予測値情報２４ｂを更新する場合の生産管理システム２０の動作のフローチャートである。
【００９３】
制御部２５は、メディアへの前処理剤の塗布の処理が完了したことが通知されたとＳ１０５において判断すると、図８に示す動作を実行する。
【００９４】
図８に示すように、歩留まり率管理部２５ａは、完了したことが通知された処理に関して前処理機歩留まり率履歴情報２４ｆを更新する（Ｓ１７１）。ここで、前処理機歩留まり率履歴情報２４ｆのうち、歩留まり率に関しては、前処理機の操作者などの人間によって入力されても良いし、前処理機の図示していないセンサーによって自動で取得されても良い。
【００９５】
歩留まり率管理部２５ａは、Ｓ１７１の処理の後、Ｓ１７１において更新した前処理機歩留まり率履歴情報２４ｆに基づいて前処理機歩留まり率予測値情報２４ｂを更新する（Ｓ１７２）。ここで、Ｓ１７２における更新のアルゴリズムとしては、様々なアルゴリズムが採用されることが可能である。例えば、歩留まり率管理部２５ａは、前処理機の識別情報と、前処理機の操作者の識別情報と、前処理機によって処理されるメディアの種類と、前処理機によって使用される前処理剤の種類と、前処理機による処理の条件とを含む複数の項目の値の組み合わせ毎に、前処理機歩留まり率履歴情報２４ｆにおける最新の特定の回数分の歩留まり率の平均値を、前処理機歩留まり率予測値情報２４ｂにおける歩留まり率の予測値にしても良い。
【００９６】
制御部２５は、Ｓ１７２の処理の後、図８に示す動作を終了する。
【００９７】
以上においては、前処理機歩留まり率予測値情報２４ｂの更新について説明している。しかしながら、プリンター歩留まり率予測値情報２４ｃの更新、蒸し機歩留まり率予測値情報２４ｄの更新、および、洗い機歩留まり率予測値情報２４ｅの更新についても同様である。すなわち、歩留まり率管理部２５ａは、メディアへのインクによる印刷の処理が完了したことが通知されたとＳ１１５において判断すると、完了したことが通知された処理に関してプリンター歩留まり率履歴情報２４ｇを更新し、更新したプリンター歩留まり率履歴情報２４ｇに基づいてプリンター歩留まり率予測値情報２４ｃを更新する。また、歩留まり率管理部２５ａは、メディアの蒸しの処理が完了したことが通知されたとＳ１２５において判断すると、完了したことが通知された処理に関して蒸し機歩留まり率履歴情報２４ｈを更新し、更新した蒸し機歩留まり率履歴情報２４ｈに基づいて蒸し機歩留まり率予測値情報２４ｄを更新する。また、歩留まり率管理部２５ａは、メディアの洗いの処理が完了したことが通知されたとＳ１３５において判断すると、完了したことが通知された処理に関して洗い機歩留まり率履歴情報２４ｉを更新し、更新した洗い機歩留まり率履歴情報２４ｉに基づいて洗い機歩留まり率予測値情報２４ｅを更新する。
【００９８】
次に、メディアが登録される場合の生産管理システム２０の動作について説明する。
【００９９】
利用者は、生産管理システム２０に登録することを希望するメディアの識別情報、長さおよび状態を指定した上で、このメディアの登録を、図示していない電子機器を介して生産管理システム２０に指示することができる。メディア管理部２５ｃは、メディアの登録が通信部２３を介して指示されると、登録が指示されたメディアをメディア管理情報２４ｊに指示する。
【０１００】
次に、メディアへの前処理剤の塗布の処理が完了した場合にメディア管理情報２４ｊを更新するときの生産管理システム２０の動作について説明する。
【０１０１】
図９は、メディアへの前処理剤の塗布の処理が完了した場合にメディア管理情報２４ｊを更新するときの生産管理システム２０の動作のフローチャートである。
【０１０２】
制御部２５は、メディアへの前処理剤の塗布の処理が完了したことが通知されたとＳ１０５において判断すると、図９に示す動作を実行する。
【０１０３】
図９に示すように、メディア管理部２５ｃは、完了したことが通知された処理に使用されたメディアの識別情報と、このメディアの現在の長さとを、メディアへの前処理剤の塗布の処理が完了したことを通知してきた前処理機から取得する（Ｓ１９１）。ここで、前処理機は、メディアの識別情報を、図示していないセンサーによってメディアから自動で取得しても良いし、前処理機の操作者などの人間によって入力されても良い。また、前処理機は、メディアの現在の長さを、図示していないセンサーによってメディアから自動で取得しても良いし、前処理機の操作者などの人間によって入力されても良い。
【０１０４】
メディア管理部２５ｃは、Ｓ１９１の処理の後、Ｓ１９１において取得したメディアの識別情報にメディア管理情報２４ｊにおいて関連付けられている長さを、Ｓ１９１において取得した長さに更新する（Ｓ１９２）。
【０１０５】
次いで、メディア管理部２５ｃは、Ｓ１９１において取得したメディアの識別情報にメディア管理情報２４ｊにおいて関連付けられている状態を、前処理済み状態に更新して（Ｓ１９３）、図９に示す動作を終了する。
【０１０６】
以上においては、メディアへの前処理剤の塗布の処理が完了した場合のメディア管理情報２４ｊの更新について説明している。しかしながら、メディアへのインクによる印刷の処理が完了した場合のメディア管理情報２４ｊの更新、メディアの蒸しの処理が完了した場合のメディア管理情報２４ｊの更新、および、メディアの洗いの処理が完了した場合のメディア管理情報２４ｊの更新についても同様である。すなわち、メディア管理部２５ｃは、メディアへのインクによる印刷の処理が完了したことが通知されたとＳ１１５において判断すると、完了したことが通知された処理に使用されたメディアの識別情報と、このメディアの現在の長さとをプリンターから取得し、この識別情報にメディア管理情報２４ｊにおいて関連付けられている長さおよび状態を、プリンターから取得した長さと、印刷済み状態とに更新する。また、メディア管理部２５ｃは、メディアの蒸しの処理が完了したことが通知されたとＳ１２５において判断すると、完了したことが通知された処理に使用されたメディアの識別情報と、このメディアの現在の長さとを蒸し機から取得し、この識別情報にメディア管理情報２４ｊにおいて関連付けられている長さおよび状態を、蒸し機から取得した長さと、蒸し済み状態とに更新する。また、メディア管理部２５ｃは、メディアの洗いの処理が完了したことが通知されたとＳ１３５において判断すると、完了したことが通知された処理に使用されたメディアの識別情報と、このメディアの現在の長さとを洗い機から取得し、この識別情報にメディア管理情報２４ｊにおいて関連付けられている長さおよび状態を、洗い機から取得した長さと、生産済み状態とに更新する。
【０１０７】
前処理機の操作者は、前処理機にメディアをセットする場合に、前処理機の図示していない操作部、または、前処理機とは別の電子機器の操作部を介した指示によって、前処理機の図示していない表示部、または、前処理機とは別の電子機器の表示部にメディア管理情報２４ｊを表示することができる。したがって、前処理機の操作者は、前処理機にセットすることに適した長さおよび状態のメディアを、前処理機にセットすることができる。以上においては、前処理機の操作者について説明したが、プリンターの操作者、蒸し機の操作者、および、洗い機の操作者についても同様である。すなわち、プリンターの操作者は、プリンターにセットすることに適した長さおよび状態のメディアを、メディア管理情報２４ｊに基づいて、プリンターにセットすることができる。また、蒸し機の操作者は、蒸し機にセットすることに適した長さおよび状態のメディアを、メディア管理情報２４ｊに基づいて、蒸し機にセットすることができる。また、洗い機の操作者は、洗い機にセットすることに適した長さおよび状態のメディアを、メディア管理情報２４ｊに基づいて、洗い機にセットすることができる。
【０１０８】
以上に説明したように、生産管理システム２０は、必要な成果物の量と、成果物の生成の各工程におけるメディアの歩留まり率の予測値とに基づいて、必要なメディアの量を取得する（Ｓ１４５、Ｓ１４７、Ｓ１４９およびＳ１５１）ので、従来より適切な量の成果物の生産を可能にすることができる。
【０１０９】
生産管理システム２０は、成果物の生成の各工程に必要なメディアの量に基づいて、この工程において使用する物質の量を取得する（Ｓ１４６、Ｓ１４８、Ｓ１５０およびＳ１５２）ので、より適切な量の成果物の生産を可能にすることができる。
【０１１０】
生産管理システム２０は、成果物の生成の各工程における実際の歩留まり率に基づいて、この工程における歩留まり率の予測値を生成する（Ｓ１７２）ので、歩留まり率の予測値の精度を向上することができる。
【０１１１】
生産管理システム２０は、成果物の生成の各工程を実行する電子機器の識別情報と、この電子機器の操作者の識別情報と、この電子機器によって処理されるメディアの種類と、この電子機器によって使用されるインクの種類と、この電子機器による処理の条件との少なくとも１つの項目の実際の値に関連付けて管理している、歩留まり率の予測値に基づいて、必要なメディアの量を取得する（「Ｓ１４４およびＳ１４５」、「Ｓ１４３〜Ｓ１４５およびＳ１４７」、「Ｓ１４２〜Ｓ１４５、Ｓ１４７およびＳ１４９」、および、「Ｓ１４１〜Ｓ１４５、Ｓ１４７、Ｓ１４９およびＳ１５１」）ので、より適切な量の成果物の生産を可能にすることができる。
【０１１２】
生産管理システム２０は、メディアの量をメディア毎に管理する（Ｓ１９２）ので、必要な量があるメディアを使用して成果物を生成することを可能にすることができ、その結果、より適切な量の成果物の生産を可能にすることができる。
【０１１３】
生産管理システム２０は、前処理機において使用する物質の量として、メディアの長さ以外に、前処理剤の量を算出する。しかしながら、生産管理システム２０は、前処理機において使用する物質の量として、前処理剤の量に代えて、または、前処理剤の量に加えて、前処理剤以外の物質の量を算出しても良い。以上においては、前処理機において使用する物質の量について説明しているが、プリンターにおいて使用する物質の量、蒸し機において使用する物質の量、および、洗い機において使用する物質の量についても同様である。
【０１１４】
前処理機歩留まり率予測値情報２４ｂは、本実施の形態において、前処理機の識別情報と、前処理機の操作者の識別情報と、前処理機によって処理されるメディアの種類と、前処理機によって使用される前処理剤の種類と、前処理機による処理の条件とを含む複数の項目の値の組み合わせ毎に歩留まり率の予測値を示している。しかしながら、前処理機におけるメディアの歩留まり率の予測値は、前処理機の識別情報と、前処理機の操作者の識別情報と、前処理機によって処理されるメディアの種類と、前処理機によって使用される前処理剤の種類と、前処理機による処理の条件との少なくとも１つに応じて変化しなくても良い。以上においては、前処理機におけるメディアの歩留まり率の予測値について説明しているが、プリンターにおけるメディアの歩留まり率の予測値、蒸し機におけるメディアの歩留まり率の予測値、および、洗い機におけるメディアの歩留まり率の予測値についても同様である。
【０１１５】
生産システム１０は、本実施の形態において、メディアへのインクによる印刷以外に、メディアへの前処理剤の塗布と、メディアの蒸しと、メディアの洗いとを実行することによって、成果物を生産する。しかしながら、生産システム１０は、メディアへの前処理剤の塗布と、メディアの蒸しと、メディアの洗いとの少なくとも１つを実行せずに、成果物を生産しても良い。
【符号の説明】
【０１１６】
２０  生産管理システム（必要量取得システム、コンピューター）
２４ａ  必要量取得プログラム
２４ｂ  前処理機歩留まり率予測値情報（歩留まり率の予測値を示す情報）
２４ｃ  プリンター歩留まり率予測値情報（歩留まり率の予測値を示す情報）
２４ｄ  蒸し機歩留まり率予測値情報（歩留まり率の予測値を示す情報）
２４ｅ  洗い機歩留まり率予測値情報（歩留まり率の予測値を示す情報）
２４ｆ  前処理機歩留まり率履歴情報（実際の歩留まり率を示す情報）
２４ｇ  プリンター歩留まり率履歴情報（実際の歩留まり率を示す情報）
２４ｈ  蒸し機歩留まり率履歴情報（実際の歩留まり率を示す情報）
２４ｉ  洗い機歩留まり率履歴情報（実際の歩留まり率を示す情報）
２４ｊ  メディア管理情報（メディアの量をメディア毎に示す情報）
２５ａ  歩留まり率管理部
２５ｂ  必要量取得部
２５ｃ  メディア管理部
３０  前処理機（電子機器）
４０  プリンター（電子機器）
５０  蒸し機（電子機器）
６０  洗い機（電子機器）
【図１】
2020098446.tif 000003
【図２】
2020098446.tif 000004
【図３】
2020098446.tif 000005
【図４】
2020098446.tif 000006
【図５】
2020098446.tif 000007
【図６】
2020098446.tif 000008
【図７】
2020098446.tif 000009
【図８】
2020098446.tif 000010
【図９】
2020098446.tif 000011